(57)【要約】      （修正有）【課題】ショッピングの利便性を向上させることができる取引データ処理方法及び装置を提供する。【解決手段】本取引データ処理方法は、ユーザー機器が、サーバーから販売場所におけるいずれかの商品の商品情報を取得し、商品情報を出力する工程と、第１購入リクエストを受信した時、商品情報に対応する商品を第１購入希望商品とし、第１購入希望商品の、少なくとも商品名称及び購入数量を含む購入情報を確定する工程と、第１購入希望商品の購入情報をサーバーに送信し、これに基づいて、サーバーが、出荷準備作業員に対して第１購入希望商品の購入情報に基づいて、出荷準備するよう提示するために使われる第１購入通知を生成する工程を含む。【選択図】図１
2018032368.tif 000002
【特許請求の範囲】
【請求項１】
ユーザー機器が、サーバーから販売場所におけるいずれかの商品の商品情報を取得し、前記商品情報を出力する工程と、
第１購入リクエストを受信した時、前記商品情報に対応する商品を第１購入希望商品とし、前記第１購入希望商品の購入情報を確定する工程であって、前記購入情報は少なくとも商品名称及び購入数量を含む、工程と、
前記サーバーが第１購入通知を生成するように、前記第１購入希望商品の購入情報を前記サーバーに送信する工程であって、前記第１購入通知は、出荷準備作業員に対して前記第１購入希望商品の購入情報に基づいて、出荷準備するよう提示するために使われる、工程と、
を含む取引データ処理方法。
【請求項２】
前記ユーザー機器が、サーバーから販売場所におけるいずれかの商品の商品情報取得し、前記商品情報を出力する工程は、
ユーザー機器が、販売場所におけるいずれかの商品に対応する情報コードをスキャンし、スキャンにより得たスキャンコード情報をサーバーに送信する工程と、
前記サーバーにより提供された、前記スキャンコード情報とマッチングする商品情報を受信し、前記商品情報を出力する工程であって、前記サーバーには、事前に異なる商品の商品情報とそのスキャンコード情報とを対応させて保存されている、工程と、
を含む請求項１に記載の取引データ処理方法。
【請求項３】
前記ユーザー機器が、サーバーから販売場所におけるいずれかの商品の商品情報を取得する工程は、
ユーザー機器が、サーバーにより提供された、前記ユーザー機器の機器位置に最も近い商品の商品情報を受信する工程であって、前記機器位置は、前記サーバーが前記ユーザー機器を測位して得たものであり、前記サーバーには、事前にいずれかの商品の前記販売場所における商品位置が保存されている、工程と、
を含む請求項１に記載の取引データ処理方法。
【請求項４】
前記ユーザー機器が、サーバーから販売場所におけるいずれかの商品の商品情報を取得し、前記商品情報を出力した後、更に、
記入リクエストを受信した時、前記商品情報に対応する商品を購入希望リストに記入する工程と、
第２購入リクエストを受信した時、前記購入希望リストにおける第２購入希望商品の購入情報を確定する工程と、
前記サーバーが、第２購入通知を生成するように、前記第２購入希望商品の購入情報を前記サーバーに送信する工程であって、前記第２購入通知は、出荷準備作業員に対して前記第２購入希望商品の購入情報に基づいて、出荷準備するよう提示するために使われる、工程と
を含む請求項１に記載の取引データ処理方法。
【請求項５】
前記第１購入希望商品の購入情報を前記サーバーに送信した後、更に、
前記サーバーにより送信された第１取引注文情報を受信する工程であって、前記第１取引注文情報は、前記サーバーが前記第１購入希望商品の購入情報によって生成されたものであり、少なくとも前記第１購入希望商品の商品名称及び商品総価格を含む、工程と、
ユーザーから確認リクエストを受信した時、前記サーバーに取引確認情報を送信し、前記サーバーが前記取引確認情報を受信してから第１購入通知を生成する工程であって、前記第１購入通知は、出荷準備作業員に対して前記第１購入希望商品の購入情報に基づいて、出荷準備するよう提示するために使われる、工程と、
を含む請求項１に記載の取引データ処理方法。
【請求項６】
前記ユーザーからの確認リクエストを受信した時、前記サーバーに取引確認情報を送信する工程は、
ユーザーから確認リクエストを受信した時、前記第１購入希望商品の商品総価格によってサードパーティシステムを呼び出し、オンライン決済を行う工程と、
オンライン決済が成功した後、前記サーバーに取引確認情報を送信する工程と、
を含む請求項５に記載の取引データ処理方法。
【請求項７】
記入リクエストを受信した時、前記商品情報に対応する商品を購入希望リストに記入した後、更に、
ユーザーから出力リクエストを受信した時、前記購入希望リストを出力する工程であって、前記購入希望リストは記入された各商品の購入情報を含む、工程と、
ユーザーから更新リクエストを受信した時に、前記購入希望リストにおいて更新がリクエストされた商品の購入情報を更新する工程と、
を含む請求項４に記載の取引データ処理方法。
【請求項８】
前記販売場所では、商品が商品シェルフに配置され、それぞれの商品シェルフにおけるそれぞれの商品が一つのラベル対応し、前記ラベルが前記商品シェルフに配置されて、それに対応する商品の商品関連情報を表わし、
前記ユーザー機器が、販売場所におけるいずれかの商品に対応する情報コードをキャンし、スキャンで得たスキャンコード情報をサーバーに送信する工程は、
ユーザー機器が、商品シェルフにおけるいずれかの商品のラベルのラベル情報コード或いは前記いずれかの商品の商品情報コードをスキャンし、スキャンで得たスキャンコード情報をサーバーに送信する工程であって、それぞれのラベルは、対応する商品とのバインディング関係が事前に構築されている、工程、
を含む請求項２に記載の取引データ処理方法。
【請求項９】
サーバーが、ユーザー機器に販売場所におけるいずれかの商品の商品情報を提供し、前記ユーザー機器により出力される工程と、
前記ユーザー機器により送信された第１購入希望商品の購入情報を受信した時、前記第１購入希望商品の購入情報に基づいて、第１購入通知を生成する工程であって、前記第１購入希望商品の購入情報は、前記ユーザー機器が第１購入リクエストを受信した時に、前記商品情報に対応する商品を第１購入希望商品として、前記第１購入希望商品の購入情報を確定した後に送信されたものであり、前記第１購入通知は、出荷準備作業員に対して前記第１購入希望商品の購入情報に基づいて出荷準備するよう提示するために使われる、工程と、
を含む取引データ処理方法。
【請求項１０】
前記サーバーが、ユーザー機器に販売場所におけるいずれかの商品の商品情報を提供する工程は、
前記ユーザー機器により送信されたスキャンコード情報を受信する工程であって、前記スキャンコード情報は、前記ユーザー機器が販売場所におけるいずれかの商品に対応する情報コードをスキャンして得たものである、工程と、
異なる商品の商品情報及びそのスキャンコード情報を探索し、前記スキャンコード情報とマッチングする商品情報を取得し、前記ユーザー機器に送信する工程と、
を含む請求項９に記載の取引データ処理方法。
【請求項１１】
前記サーバーが、ユーザー機器に販売場所におけるいずれかの商品の商品情報を提供する工程は、
前記ユーザー機器を測位して前記ユーザー機器の機器位置を取得する工程と、
前記販売場所におけるいずれかの商品の商品位置を探索し、前記機器位置に最も近い商品を確定し、前記機器位置に最も近い商品の商品情報を前記ユーザー機器に提供する工程と、
を含む請求項９に記載の取引データ処理方法。
【請求項１２】
販売場所におけるそれぞれの商品シェルフに無線機器が事前に配置されており、前記ユーザー機器は、前記無線機器により送信された無線信号を受信及び／又は前記無線機器に無線信号を送信し、
前記ユーザー機器を測位して前記ユーザー機器の機器位置を取得する工程は、
前記ユーザー機器により受信された前記無線機器の無線信号及び前記無線機器の位置に基づいて、前記ユーザー機器の機器位置を測位する工程、
を含む請求項１１に記載の取引データ処理方法。
【請求項１３】
前記ユーザー機器に商品シェルフにおけるいずれかの商品の商品情報を提供し、前記ユーザー機器により出力された後、更に、
前記ユーザー機器により送信された第２購入希望商品の購入情報を受信した時、第２購入通知を生成する工程であって、前記第２購入希望商品の購入情報は、前記ユーザー機器が第２購入リクエストを受信した時に、購入希望リストにおける第２購入希望商品を確定した後に送信されたものであり、前記第２購入通知は、出荷準備作業員に対して前記第２購入希望商品の購入情報に基づいて出荷準備するよう提示するために使われる、工程、
を含む請求項９に記載の取引データ処理方法。
【請求項１４】
前記商品シェルフにおけるいずれかの商品の商品位置は、以下の（１）〜（２）の工程で事前に確定される請求項１２に記載の取引データ処理方法。
（１）スキャン機器が前記商品シェルフにおけるそれぞれの商品及び／又は前記商品に対応するラベルに対してコードスキャンを行った時に受信した無線機器の無線信号、及び前記無線機器の位置に基づいて、前記スキャン機器が毎回コードスキャンを行った時のコードスキャン位置を測位する工程。
（２）前記スキャン機器が毎回コードスキャンを行った時のコードスキャン位置を、前記スキャン機器によりコードスキャンされた商品の商品位置とする工程。
【請求項１５】
前記商品シェルフにおけるそれぞれの商品が一個の無線機器及び一個のラベルに対応し、
前記スキャン機器が前記商品シェルフにおけるそれぞれの商品及び／又は前記商品に対応するラベルに対してコードスキャンを行った時に受信した無線機器の無線信号、及び前記無線機器の位置に基づいて、前記スキャン機器が毎回コードスキャンを行った時のコードスキャン位置を測位する工程は、
スキャン機器が前記商品シェルフにおけるそれぞれの商品及び／又は前記商品に対応するラベルに対してコードスキャンを行った時に受信した無線機器の無線信号に基づいて、前記スキャン機器に最も近い無線機器を確定する工程と、
前記最も近い無線機器を測位して、前記スキャン機器がコードスキャンを行った時のコードスキャン位置とする工程と、
を含む請求項１４に記載の取引データ処理方法。
【請求項１６】
前記商品シェルフにおけるそれぞれの商品が一個の無線機器及び一個のラベルに対応し、
前記商品シェルフにおけるいずれかの商品の商品位置は、以下の（１）〜（２）の工程で事前に確定される請求項１２に記載の取引データ処理方法。
（１）スキャン機器により送信された、前記スキャン機器が前記商品シェルフにおけるそれぞれの商品及び前記商品に対応するラベルに対してコードスキャンを行って得た商品情報コード及びラベル情報コードを受信する工程。
（２）前記商品情報コード及び前記ラベル情報コードに基づいて、異なるラベルと異なる無線機器との対応関係を探索し、それぞれのコードスキャンされた商品のラベルに対応する無線機器の位置を前記商品の商品位置とする工程。
【請求項１７】
サーバーから販売場所におけるいずれかの商品の商品情報を取得し、前記商品情報を出力する商品取得手段と、
第１購入リクエストを受信した時、前記商品情報に対応する商品を第１購入希望商品とし、前記第１購入希望商品の購入情報を確定する第１購入手段であって、前記購入情報は、少なくとも商品名称及び購入数量を含む、第１購入手段と、
前記サーバーが第１購入通知を生成するように、前記第１購入希望商品の購入情報を前記サーバーに送信する第１取引トリガー手段であって、前記第１購入通知は、出荷準備作業員に対して前記第１購入希望商品の購入情報に基づいて、出荷準備するよう提示するために使われる、第１取引トリガー手段と、
を含む取引データ処理装置。
【請求項１８】
前記商品取得手段は、
販売場所におけるいずれかの商品に対応する情報コードをスキャンし、スキャンで得たスキャンコード情報をサーバーに送信するコードスキャン手段と、
前記サーバーにより提供された、前記スキャンコード情報とマッチングする商品情報を受信し、前記商品情報を出力する取得手段であって、前記サーバーには、事前に異なる商品の商品情報とそのスキャンコード情報とを対応させて保存されている、取得手段と、
を含む請求項１７に記載の取引データ処理装置。
【請求項１９】
前記商品取得手段は、サーバーにより提供された、前記ユーザー機器の機器位置に最も近い商品の商品情報を受信するために使われ、前記機器位置は、前記サーバーが前記ユーザー機器に対して測位して得たものであり、前記サーバーには、いずれかの商品の前記販売場所における商品位置が事前に保存されている、
請求項１７に記載の取引データ処理装置。
【請求項２０】
記入リクエストを受信した時、前記商品情報に対応する商品を購入希望リストに記入する記入手段と、
第２購入リクエストを受信した時、前記購入希望リストにおける第２購入希望商品の購入情報を確定する第２購入手段と、
前記サーバーが第２購入通知を生成するように、前記第２購入希望商品の購入情報を前記サーバーに送信する第２取引トリガー手段であって、前記第２購入通知は、出荷準備作業員に対して前記第２購入希望商品の購入情報に基づいて出荷準備するよう提示するために使われる、第２取引トリガー手段と、
を更に含む請求項１８に記載の取引データ処理装置。
【請求項２１】
前記サーバーにより送信された第１取引注文情報を受信する第１注文取得手段であって、前記第１取引注文情報は、前記サーバーが前記第１購入希望商品の購入情報によって生成されたものであり、少なくとも前記第１購入希望商品の商品名称及び商品総価格を含む、第１注文取得手段と、
ユーザーからの確認リクエストを受信した時、前記サーバーに取引確認情報を送信し、前記サーバーが前記取引確認情報を受信してから第１購入通知を生成する第１取引確認手段であって、前記第１購入通知は、出荷準備作業員に対して前記第１購入希望商品の購入情報に基づいて、出荷準備するよう提示するために使われる、第１取引確認手段と、
を更に含む請求項１７に記載の取引データ処理装置。
【請求項２２】
ユーザー機器に販売場所におけるいずれかの商品の商品情報を提供し、前記ユーザー機器により出力させる商品提供手段と、
前記ユーザー機器により送信された第１購入希望商品の購入情報を受信した時、前記第１購入希望商品の購入情報によって第１購入通知を生成する第１取引生成手段であって、前記第１購入希望商品の購入情報は、前記ユーザー機器が第１購入リクエストを受信した時に、前記商品情報に対応する商品を第１購入希望商品として、前記第１購入希望商品の購入情報を確定し後に送信されたものであり、前記第１購入通知は、出荷準備作業員に対して前記第１購入希望商品の購入情報に基づいて、出荷準備するよう提示するために使われる第１取引生成手段と、
を含む取引データ処理装置。
【請求項２３】
前記商品提供手段は、
前記ユーザー機器により送信されたスキャンコード情報を受信する受信手段であって、前記スキャンコード情報は、前記ユーザー機器が販売場所におけるいずれかの商品に対応する情報コードをスキャンして得たものである、受信手段と、
異なる商品の商品情報及びそのスキャンコード情報を探索し、前記スキャンコード情報とマッチングする商品情報を取得し、前記ユーザー機器に送信する送信手段と、
を更に含む請求項２２に記載の取引データ処理装置。
【請求項２４】
前記商品提供手段は、
前記ユーザー機器を測位し、前記ユーザー機器の機器位置を取得する測位手段と、
前記販売場所におけるいずれか商品の商品位置を探索し、前記機器位置に最も近い商品を確定し、前記機器位置に最も近い商品の商品情報を前記ユーザー機器に提供する提供手段と、
を更に含む請求項２２に記載の取引データ処理装置。
【請求項２５】
前記ユーザー機器により送信された第２購入希望商品の購入情報を受信した時、第２購入通知を生成する第２取引トリガー手段であって、前記第２購入希望商品の購入情報は、前記ユーザー機器が第２購入リクエストを受信した時に、購入希望リストにおける第２購入希望商品を確定した後に送信したものであり、前記第２購入通知は、出荷準備作業員に対して前記第２購入希望商品の購入情報に基づいて、出荷準備するよう提示するために使われる、第２取引トリガー手段、
を更に含む請求項２２に記載の取引データ処理装置。
【発明の詳細な説明】
【技術分野】
【０００１】
本出願は、電子技術分野に属し、特に、取引データ処理方法及び装置に関する。
【背景技術】
【０００２】
経済の発展と人々の生活水準の向上に伴って、ショッピングのニーズも徐々に高まっている。ショッピングモール、スーパーマーケット等の大型販売場所は人気上昇中である。
【０００３】
販売場所での伝統的な買い物の仕方では、一般に、ユーザーがほしい商品を選択して、ショッピングカートに入れて、キャッシャーが商品を清算し、ユーザーが会計した後に商品を受け取る。
【０００４】
しかし、このような伝統的な買い物の仕方では、購入する商品が多くある場合、ユーザーが大量の商品を持ちながら、販売場所を移動する必要がある。そのため、ユーザーショッピングに不便が生じる。
【発明の概要】
【発明が解決しようとする課題】
【０００５】
上記事情に鑑み、本願発明が解決しようとする技術的課題は、ショッピングの利便性を向上させることができる取引データ処理方法及び装置を提供することである。
【課題を解決するための手段】
【０００６】
上記技術的課題を解決するために、本願発明の第１の形態では、以下の工程を含む取引データ処理方法を提供する。
すなわち、ユーザー機器が、サーバーから販売場所におけるいずれかの商品の商品情報を取得し、前記商品情報を出力し、
【０００７】
第１購入リクエストを受信した時、前記商品情報に対応する商品を第１購入希望商品とし、前記第１購入希望商品の購入情報を確定する。ここで、前記購入情報は少なくとも商品名称及び購入数量を含み、
【０００８】
前記サーバーが第１購入通知を生成するように、前記第１購入希望商品の購入情報を前記サーバーに送信する。前記第１購入通知は、出荷準備作業員に対して前記第１購入希望商品の購入情報に基づいて出荷準備するよう提示するために使われる。
【０００９】
本願発明の第２の形態では、以下の工程を含む取引データ処理方法を提供する。
すなわち、サーバーが、ユーザー機器に販売場所におけるいずれかの商品の商品情報を提供し、前記ユーザー機器により出力され、
【００１０】
前記ユーザー機器により送信された第１購入希望商品の購入情報を受信した時、前記第１購入希望商品の購入情報に基づいて、第１購入通知を生成する。ここで、前記第１購入希望商品の購入情報は、前記ユーザー機器が第１購入リクエストを受信した時に、前記商品情報に対応する商品を第１購入希望商品として、前記第１購入希望商品の購入情報を確定した後に送信されたものである。前記第１購入通知は、出荷準備作業員に対して前記第１購入希望商品の購入情報に基づいて出荷準備するよう提示するために使われる。
【００１１】
本願発明の第３の形態では、以下の構成を含む取引データ処理装置を提供する。
すなわち、サーバーから販売場所におけるいずれかの商品の商品情報を取得し、前記商品情報を出力する商品取得手段と、
【００１２】
第１購入リクエストを受信した時、前記商品情報に対応する商品を第１購入希望商品として、前記第１購入希望商品の購入情報を確定する第１購入手段であって、前記購入情報は、少なくとも商品名称及び購入数量を含む、第１購入手段と、
【００１３】
前記サーバーが第１購入通知を生成するように、前記第１購入希望商品の購入情報を前記サーバーに送信する第１取引トリガー手段であって、前記第１購入通知は、出荷準備作業員に対して前記第１購入希望商品の購入情報に基づいて、出荷準備するよう提示するために使われる、第１取引トリガー手段を含む取引データ処理装置である。
【００１４】
本願発明の第４の形態では、以下の構成を含む取引データ処理装置を提供する。
すなわち、ユーザー機器に販売場所におけるいずれかの商品の商品情報を提供し、前記ユーザー機器により出力させる商品提供手段と、
【００１５】
前記ユーザー機器により送信された第１購入希望商品の購入情報を受信した時、前記第１購入希望商品の購入情報に基づいて、第１購入通知を生成する第１取引生成手段であって、前記第１購入希望商品の購入情報は、前記ユーザー機器が第１購入リクエストを受信した時に、前記商品情報に対応する商品を第１購入希望商品として、前記第１購入希望商品の購入情報を確定し後に送信されたものであり、前記第１購入通知は、出荷準備作業員に対して前記第１購入希望商品の購入情報に基づいて、出荷準備するよう提示するために使われる、第１取引生成手段を含む取引データ処理装置である。
従来技術と比べて、本願発明では、以下の技術的効果が得られる。
【００１６】
サーバーに販売場所における各商品の商品情報が保存されている。ユーザー機器は、サーバーからいずれかの商品の商品情報を取得し、ユーザーがレヴューするように前記商品情報を出力できる。ユーザー機器は、ユーザーによりトリガーされた第１購入リクエストを受信した時、前記商品情報に対応する商品を第１購入希望商品として前記第１購入希望商品の購入情報を確定する。前記購入情報は、少なくとも商品名称及び購入数量を含む。前記サーバーが第１購入通知を生成するように、前記第１購入希望商品の購入情報を前記サーバーに送信する。前記第１購入通知は、出荷準備作業員に対して前記第１購入希望商品の購入情報に基づいて、出荷準備をするよう提示するために使われる。
上述した本願発明の実施形態では、ユーザーが販売場所で大量の商品を持って移動する必要がなく、ユーザー機器を利用するだけで、購入希望商品の購入情報をバックエンドサーバーに伝えて、サーバーが出荷準備作業員に対して出荷準備するよう通知する。これによって、ショッピングの利便性と効率を向上させることができる。
勿論、本願発明に係るいずれかの製品を実施する場合、上記した技術的効果のすべてを必ずしも同時に達成する必要はない。
【図面の簡単な説明】
【００１７】
以下に説明する図面は、本出願を更に理解するため、本出願の一部分を構成する。本出願に係る概略的な実施例及びその説明は、本願発明を解釈するために用いられるが、本願発明を不適切に制限するものではない。
【図１】本願発明の一実施形態による取引データ処理方法の例を示すフローチャートである。
【図２ａ】本願発明の実施形態によるユーザー機器の表示状態を示す概略図である。
【図２ｂ】本願発明の実施形態によるユーザー機器の表示状態を示す概略図である。
【図２ｃ】本願発明の実施形態によるユーザー機器の表示状態を示す概略図である。
【図３】本願発明の一実施形態による取引データ処理方法の他の例を示すフローチャートである。
【図４】本願発明の一実施形態によるユーザー機器の表示状態を示す概略図である。
【図５】本願発明の一実施形態による取引データ処理装置の例を示す概略構成図である。
【図６】本願発明の一実施形態による取引データ処理装置の他の例を示す概略構成図である。
【図７】本願発明の一実施形態による取引データ処理装置のさらに他の例を示す概略構成図である。
【図８】本願発明の一実施形態による取引データ処理装置のさらに他の例を示す概略構成図である。
【発明を実施するための形態】
【００１８】
以下、図面及び実施例を参照して、本願発明の実施形態を詳しく説明する。これにより、本願発明において、技術的方案を利用して技術的課題を解決することにより技術的効果を達成した実施過程を充分理解し、本願発明を実施することができる。
【００１９】
本願発明の技術的方案は、主にスーパーマーケット、ショッピングモール等の販売場所に適用され、特にスーパーマーケットに適用される。スーパーマーケットにおいては商品の類型が多く、数量が莫大であるため、ユーザーは、多量の商品を購入することが多い。伝統的な買い物の仕方では、ユーザーが商品シェルフから商品を選択して、ショッピングカート或いはショップ袋に入れてから、キャッシャーで商品を清算する。キャッシャー数が限られているため、一般には、ユーザーは商品の清算が終わるまで長時間で待つ必要がある。このため、ショッピングがかなり不便で、ショッピングの効率に影響を及ぼす。
【００２０】
従来技術では販売場所におけるショッピングが不便であるという技術的課題を解決するために、本願発明者らは、鋭意研究の結果、以下の解決手段を見出した。本願発明の実施形態では、ユーザーがユーザー機器を通じてサーバーから販売場所におけるいずれかの商品の商品情報を取得し、前記商品情報を出力する。サーバーには、販売場所における異なる商品の商品情報が保存されている。ユーザー機器は、第１購入リクエストを受信した時、前記商品情報に対応する商品を第１購入希望商品として、前記第１購入希望商品の購入情報を確定する。前記購入情報は、少なくとも商品名称及び購入数量を含む。前記第１購入希望商品の購入情報を前記サーバーに送信し、これに基づいて前記サーバーが第１購入通知を生成する。前記第１購入通知は、出荷準備作業員に対して前記第１購入希望商品の購入情報に基づいて出荷準備するよう提示する。本願発明の実施形態では、ユーザーが販売場所で大量の商品を持って移動する必要がなく、ユーザー機器を利用するだけで、購入希望商品の購入情報をバックエンドサーバーに伝えて、バックエンドサーバーが出荷準備作業員に対して出荷準備するよう通知することで、ユーザーが出荷準備の場所で商品を受け取ることもでき、出荷準備作業員にユーザーが指定した場所等に配達させることもできる。これにより、ショッピングの利便性と効率を向上させることができる。
【００２１】
以下、添付図面を参照して、本願発明の実施形態を詳しく説明する。
図１は、本願発明の一実施形態による取引データ処理方法の例を示すフローチャートである。当該方法は、以下の複数のステップを含む。
１０１：サーバーは、ユーザー機器に販売場所におけるいずれかの商品の商品情報を提供する。
１０２：ユーザー機器は、前記商品情報を出力する。
一般的に、販売場所では、商品は商品シェルフに並んでいる。
サーバーには、事前に上記販売場所における異なる商品の商品情報が保存されている。
【００２２】
前記サーバーは、販売場所におけるＥＲＰ（Ｅｎｔｅｒｐｒｉｓｅ  Ｒｅｓｏｕｒｃｅ  Ｐｌａｎｎｉｎｇ、経営資源の統合管理）システム中のサーバーであってもよい。
商品情報は、少なくとも商品名称を含むことができる。勿論、商品価格、商品紹介内容等を含んでもよい。
なお、商品情報は、更に購入提示情報及びショッピングリスト追加提示情報等を含んでもよい。
【００２３】
図２ａは、実際の応用例において、ユーザー機器により出力された商品情報の表示状態を示す概略図である。図２ａに示すように、商品情報は、商品名称２０１、購入提示情報２０２、ショッピングリスト追加提示情報２０３、商品価格２０４及び商品紹介内容２０５等を含んでもよい。商品紹介内容は、文字説明及び図面説明等を含む。
【００２４】
ユーザー機器の画面が完全に商品情報の全部の内容を表示できない場合、表示されていない内容を見られるように、更にページをめくる作業を行う。
【００２５】
なお、図２ａは、商品情報のユーザー機器における表示状態を説明するための概略図に過ぎず、本願発明による商品情報の具体的な内容及び表示レイアウト等はこれらに限定されない。実際の応用状況が異なれば、商品情報の具体的な内容も変わることがある。商品情報のページにおける表示レイアウトも、現実の状況によって調整できる。
なお、ユーザー機器は、サーバーから複数の商品の商品情報を取得できる。そのとき、リストの形でそれぞれの商品の商品情報を出力できる。
【００２６】
１０３：ユーザー機器は、第１購入リクエストを受信した時、前記商品情報に対応する商品を第１購入希望商品として、前記第１購入希望商品の購入情報を確定する。
前記購入情報は、商品名称及び購入数量を含んでもよい。更に、商品価格等の情報を含んでもよい。
【００２７】
第１購入リクエストは、ユーザーによりトリガーされたものであってもよい。具体的には、前記購入提示情報をトリガーすることによって生成されるものであってもよい。
購入情報の購入数量は、ユーザーにより入力されて前記第１購入リクエストに携帯される。
【００２８】
１０４：ユーザー機器は、前記第１購入希望商品の購入情報を前記サーバーに送信する。
【００２９】
１０５：サーバーは、前記第１購入希望商品の購入情報によって、第１購入通知を生成する。前記第１購入通知は、出荷準備作業員に対して前記第１購入希望商品の購入情報に基づいて出荷準備するよう通知するために使われる。
【００３０】
サーバーは、第１購入希望商品の購入情報を取得した後、第１購入通知を生成する。当該第１購入通知は、出荷準備作業員のユーザー機器に送信されて出力される。これにより出荷準備作業員に出荷準備するように提示しやすくなる。
【００３１】
本願発明の実施形態では、専門的な出荷準備作業員に対してまとめて出荷準備させるため、ユーザーが大量の商品を持ちながら移動する必要がなくなり、ショッピングの利便性と効率を向上させることができる。
【００３２】
他の例では、サーバーは、前記第１購入希望商品の購入情報によって第１購入通知を生成した後、更にユーザー機器に受取アドレス情報を送信し、ユーザー機器により出力させる。ユーザーは、前記受取アドレス情報に基づいて、前記受取アドレスに対応する受取場所に行って、第１購入希望商品をまとめて受け取る。当該受取アドレスは、販売場所のレジであり、ユーザーがレジで清算した後、直接、前記第１購入希望商品を受け取ることができる。
【００３３】
ユーザー機器は、更にユーザーアドレスリクエストによって、サーバーに送付アドレス情報を送信する。当該送付アドレス情報は、購入情報に付加されてもよい。第１購入通知は、出荷準備作業員に前記第１購入希望商品の購入情報に基づいて出荷準備するよう通知し、前記送付アドレスに基づいて配達させるものである。
ユーザー機器は、ユーザーからの時間リクエストによって、更にサーバーに受取時間または送付時間を送信することにより、受取予約または送付予約を実現できる。
第１購入希望商品の清算は、ユーザーが前記第１購入希望商品を取得した後の清算であってもよい。勿論、他の清算方式を採用してもよい。
他の例では、ユーザーが前記第１購入希望商品の購入情報を前記サーバーに送信した後、更に以下の工程を含んでもよい。
【００３４】
サーバーは、前記第１購入希望商品の購入情報に基づいて、第１取引注文情報を生成する。前記第１取引注文情報には、少なくとも第１購入希望商品の商品名称及び商品総価格が含まれてもよい。勿論、前記取引注文情報には、受取アドレス情報或いは送付アドレス情報等が含まれてもよい。
ユーザー機器は、サーバーにより送信された第１取引注文情報を受信し、前記第１取引注文情報を出力する。
ユーザー機器は、ユーザーからの確認リクエストを受信した後、前記サーバーに取引確認情報を送信する。
サーバーは、前記取引確認情報を受信してから、第１購入通知を生成する。
【００３５】
第１取引注文情報を出力することによって、ユーザーは、購入したい商品及び商品価格を確認しやすくなり、購入するか否かを決定できる。ユーザー機器は、ユーザーからの確認リクエストを受信した時、前記サーバーに取引確認情報を送信し、その後、サーバーが第１購入通知を生成する。
【００３６】
勿論、ユーザー機器は、ユーザーからの取消リクエストを受信した時、サーバーに取引取消情報を送信する。サーバーは、取引取消情報を受信した後、今回の取引を取り消すことができ、第１取引注文情報を削除する。
【００３７】
図２ｂは、実際の応用において、ユーザー機器が出力した第１取引注文情報を示す概略図である。当該第１取引注文情報には、少なくとも第１購入希望商品の商品総価格が含まれ、更に受取アドレス、受取または配達時間等の情報が含まれてもよい。
当該第１取引注文情報は更に変更してもよい。例えば、受取アドレス及び受取または配達時間等を変更することができる。
【００３８】
ユーザーは、取引注文情報を確認した後、注文を提出する作業を行う。ユーザー機器は、注文提出リクエストを受信すると、サーバーに取引確認情報を送信できる。
【００３９】
他の例では、更にショッピングの利便性及びショッピングの効率を高めて、ユーザーが清算しやすくするために、前記ユーザーからの確認リクエストを受信した時に前記サーバーに取引確認情報を送信する工程は、以下の工程を含んでもよい。
すなわち、ユーザーからの確認リクエストを受信した時、前記第１購入希望商品の商品総価格によって、サードパーティシステムを呼び出してオンライン決済を行う工程と、
オンライン決済が成功した後、前記サーバーに取引確認情報を送信する工程である。
【００４０】
つまり、ユーザーは、ユーザー機器を通じてオンライン決済を行うことができる。これにより、レジ等で会計を待つことがないため、更にショッピングの利便性を向上させることができる。
【００４１】
図２ｃは、実際の応用で、ユーザーが注文を確認した後、ユーザー機器により出力されたオンライン決済の例を示す概略図である。例えば、銀行システム或いはサードパーティ決済プラットフォーム等のサードパーティシステムを呼び出して、オンライン決済を行ってもよい。オンライン決済が成功してから、前記サーバーに取引確認情報を送信する。
【００４２】
ユーザーがショッピングする時に複数の商品を購入することがあるため、他の例では、図３に示すように、ステップ１０２において、ユーザー機器が前記商品情報を出力した後、更に以下の工程を含んでもよい。
【００４３】
１０６：ユーザー機器は、記入リクエストを受信した時、前記商品情報に対応する商品を購入希望リストに記入する。
購入希望リストには、ユーザーが購入したい商品を記入できる。
１０７：ユーザー機器は、第２購入リクエストを受信した後、前記購入希望リストにおける第２購入希望商品及び前記第２購入希望商品の購入情報を確定する。
ここで、第２購入希望商品は、複数あってもよい。
【００４４】
なお、「第１購入希望商品」及び「第２購入希望商品」は、単に２種の異なる商品購入方式を文章で区別するためだけのものである。「第１」及び「第２」は、他の意図を有しない。
【００４５】
ユーザー機器は、更にユーザーからの出力リクエストによって、購入希望リストを出力できる。ユーザーは、購入希望リストから購入したい第２購入希望商品を選択することで、第２購入リクエストをトリガーすることができる。
購入情報は、購入数量及び商品名称を含んでもよいし、商品単価、商品総価格等を含んでもよい。
なお、購入情報における購入数量は、ユーザーにより入力されて前記第２購入リクエストに付加されるものであってもよい。
【００４６】
図４は、実際の応用における、購入希望リストの一例を示す概略図である。図４において、購入希望リストには、それぞれの商品の商品名称４０１及び商品単価４０２、購入数量４０３及び単一商品の商品総価格４０４が記入されている。
【００４７】
第２購入希望商品は、ユーザーにより購入希望リストから選択された一個或いは複数個の商品であってもよい。ここで、第２購入リクエストがトリガーされる。そのため、第２購入希望商品の購入情報は、更に複数の商品の商品総価格を含んでもよい。図４では、商品総価格４０５を示す。
【００４８】
他の例では、購入希望リストを出力した後、ユーザーが更に購入希望リストにおける商品の購入情報を更新してもよい。
ここでは、ユーザーからの出力リクエストを受信して前記購入希望リストを出力した後、更に以下の工程を含んでもよい。
【００４９】
ユーザーからの更新リクエストを受信した時に、前記購入希望リストにおいて更新がリクエストされた商品の購入情報を更新する。
更新は、購入数量の変更、或いは購入希望リストからの前記商品の購入情報の削除等を含んでもよい。
１０８：ユーザー機器は、前記第２購入希望商品の購入情報を前記サーバーに送信する。
【００５０】
１０９：前記サーバーは、前記第２購入希望商品の購入情報によって第２購入通知を生成する。前記第２購入通知は、出荷準備作業員に前記第２購入希望商品の購入情報に基づいて出荷準備するよう通知するために使われる。
【００５１】
サーバーは、第２購入希望商品の購入情報を受信した後、第２購入通知を生成する。当該第２購入通知は、出荷準備作業員のユーザー機器に送信して出力される。これにより、出荷準備作業員に第２購入希望商品の出荷準備をすることを提示しやすくなる。
【００５２】
本願発明の実施形態では、ユーザー機器が商品に対応する情報コードをスキャンするだけで商品の購入を実現できる。一個の商品を直接購入することもできるし、複数個の商品を購入希望リストに追加して、複数の商品をまとめて購入することもできる。ユーザーが大量の商品を持ちながら移動する必要がなく、ショッピングの利便性及び効率を向上させることができる。
【００５３】
サーバーは、前記第２購入希望商品の購入情報によって第２購入通知を生成した後、更にユーザー機器に受取アドレス情報を送信し、ユーザー機器により出力させてもよい。ユーザーは、前記受取アドレス情報によって、前記受取アドレスに対応する受取場所に行って、第２購入希望商品をまとめて受け取ることができる。ここで、当該受取アドレスは販売場所のレジであってもよい。これにより、ユーザーは、レジで清算した後、前記第２購入希望商品を直接受け取れる。
【００５４】
勿論、ユーザー機器は、更にユーザーからのアドレスリクエストによって、サーバーに送付アドレスを送信してもよい。当該送付アドレスは、購入情報に付加されてもよい。これに応じて、第２購入通知は、出荷準備作業員に前記第２購入希望商品の購入情報に基づいて、出荷準備し、前記送付アドレスに配達するよう通知する。
【００５５】
他の例では、ユーザー機器が、ユーザーからの時間リクエストによって、更にサーバーに受取または送付時間を送信することにより、受取予約または送付予約を実現できる。
第２購入希望商品に対する清算は、ユーザーが前記第２購入希望商品を取得した後で行ってもよい。
他の例では、ユーザーが、前記第２購入商品の購入情報を前記サーバーに送信した後、更に以下の工程を含む。
【００５６】
サーバーは、前記第２購入希望商品の購入情報により第２取引注文情報を生成する。前記第２取引注文情報は、少なくとも第２購入希望商品の商品総価格を含む。勿論、前記取引注文情報は、更に受取アドレス情報或いは送付アドレス情報等を含んでもよい。
ユーザー機器は、サーバーにより送信された第２取引注文情報を受信し、前記取引注文情報を出力する。
ユーザー機器は、ユーザーからの確認リクエストを受信した時、前記サーバーに取引確認情報を送信する。
サーバーは、前記取引確認情報を受信してから、第２購入通知を生成する。
【００５７】
第２取引注文情報を出力することにより、ユーザーは、購入したい商品及び商品価格を確認し、購入するか否かを决定する。そして、ユーザー機器は、ユーザーからの確認リクエストを受信した時、前記サーバーに取引確認情報を送信する。その後、サーバーは、第２購入通知を生成する。
【００５８】
勿論、ユーザー機器は、ユーザーからの取消リクエストを受信した時、サーバーに取引取消情報を送信する。これにより、サーバーが、取引取消情報を受信した後、今回の取引をキャンセルして、第２取引注文情報を削除できる。
【００５９】
他の例では、ショッピングの利便性及びショッピングの効率を更に高めて、ユーザーが清算しやすくするために、前記サーバーに取引確認情報を送信する工程が、以下の工程を含んでもよい。
ユーザーからの決済リクエストを受信した時、前記第２購入希望商品の商品総価格によってサードパーティシステムを呼び出し、オンライン決済を行う。
オンライン決済が成功した後、前記サーバーに取引確認情報を送信する。
【００６０】
つまり、ユーザーがユーザー機器を通じてオンライン決済を行うことができるので、レジ等で会計を待つ必要がない。これにより、更に、ショッピングの利便性を向上させることができる。
上記各例において、サーバーがユーザー機器に販売場所におけるいずれかの商品の商品情報を提供するためには、複数の実現可能な実施形態がある。
実現可能な実施形態として、サーバーがユーザー機器に販売場所におけるいずれかの商品の商品情報を提供する工程は、以下の工程であってもよい。
ユーザー機器は、販売場所におけるいずれかの商品に対応する情報コードをスキャンし、スキャンにより得たスキャンコード情報をサーバーに送信する。
【００６１】
サーバーは、異なる商品の商品情報及びそのスキャンコード情報を探索し、前記スキャンコード情報とマッチングする商品情報を取得して前記ユーザー機器に提供する。
ここで、前記サーバーでは、事前に異なる商品の商品情報及びそのスキャンコード情報が対応して保存されている。
【００６２】
ユーザー機器は、商品シェルフにおける商品に対応する情報コードをスキャンする。商品の商品情報コードをスキャンしてもよい。これは、一般には、商品のオーバーパック上にあり、スキャンコード情報が取得できる。スキャンコード情報に含まれているのは、商品情報コードである。
【００６３】
なお、実際の応用では、ユーザーが商品を探索しやすく、商品の名称、価格等の関連情報をレヴューしやすくするために、商品シェルフにおいてそれぞれの商品にラベルを配置することがある。当該ラベルは、異なる商品を認識したり、それに対応する商品の商品関連情報を表示するために使われる。例えば、商品の名称及び／又は商品価格、商品産地等の商品関連情報を表示してもよい。
【００６４】
それぞれのラベルは、ラベル情報コードを有してもよい。それぞれの商品は、一個のラベル情報コードに対応する。ラベル情報コードは、ラベル中に表示されてもよい。例えば、一次元コード、二次元コードであってもよい。実際の応用では、ラベルは、価格ラベルであり、対応商品の商品価格を表示する。
【００６５】
ユーザー機器が販売場所におけるいずれかの商品に対応する情報コードをスキャンすることは、商品のラベルのラベル情報コードをスキャンすることである。スキャンコード情報に含まれているのは、当該ラベル情報コードである。
【００６６】
ここで、ラベルは、紙ラベルでもよいし、電子シェルフラベル（  Ｅｌｅｃｔｒｏｎｉｃ  Ｓｈｅｌｆ  Ｌａｂｅｌ  Ｓｙｓｔｅｍ、ＥＳＬ）であってもよい。電子シェルフラベルは、商品シェルフ上に置いて、伝統的な紙ラベルと置き換える電子表示機器であり、商品の価格、情報コード、商標及び／又は在庫状況等の情報を表示し、表示されている情報を修正できる。
【００６７】
ラベルが電子シェルフラベルである場合、サーバーは、事前にスキャン機器によりそれぞれスキャンされたそれぞれの商品及びそれぞれの商品の電子シェルフラベルを用いて、商品情報コードにより商品の商品情報を探索できる。これにより、商品情報によりラベル情報コードに対応する電子シェルフラベルにおける表示情報を更新し、商品と電子シェルフラベルとをバインディングできる。このため、ユーザー機器が、商品情報コード或いはラベル情報コードをスキャンすると、いずれもサーバーから対応する商品情報を取得できる。
【００６８】
商品情報コード及びラベル情報コードは、一次元コード或いは二次元コード等であり、ユニークなマークである。
他の実現可能な実施形態では、前記サーバーがユーザー機器に販売場所におけるいずれかの商品の商品情報を提供する工程は、以下の工程であってもよい。
サーバーは、前記ユーザー機器を測位して、前記ユーザー機器の機器位置を取得する。
【００６９】
サーバーは、前記商品シェルフにおけるいずれかの商品の商品位置を探索して、前記機器位置に最も近い商品を確定し、前記機器位置に最も近い商品の商品情報を前記ユーザー機器に提供する。
【００７０】
ここで、前記機器位置に最も近い商品は、一個または複数個ある。複数個ある場合、ユーザー機器は、各商品の商品情報をそれぞれ出力したり、或いはリストの形で各商品の商品情報を同時に出力したりすることができる。
前記サーバーには、事前にいずれかの商品の前記販売場所における商品位置が保存されている。
【００７１】
ここで、販売場所におけるそれぞれの商品シェルフには、事前に無線機器が配置されてもよい。前記ユーザー機器は、前記無線機器により送信された無線信号を受信及び／又は前記無線機器に無線信号を送信するために使われる。
サーバーがユーザー機器を測位し、前記ユーザー機器の機器位置を取得する工程は、以下の工程であってもよい。
前記ユーザー機器により受信された前記無線機器の無線信号及び前記無線機器の位置によって、前記ユーザー機器の機器位置を測位する。
ユーザー機器が受信した前記無線機器の無線信号をサーバーにアップロードすることにより、サーバーは、ユーザー機器を測位できる。
【００７２】
ここで、受信した無線機器の無線信号及び前記無線機器の位置によって前記ユーザー機器の機器位置を測位する工程では、ユーザー機器により受信された無線機器の無線信号の信号強度及び無線機器の位置によって算出される。
【００７３】
ユーザーにより受信された無線機器の信号強度によってユーザー機器と無線機器との間の距離を算出できる。そして、ユーザー機器と無線機器との間の距離及び無線機器の位置に基づいて、機器位置を算出できる。具体的には、重心アルゴリズムを使って、ユーザー機器と無線機器との間の距離及び無線機器の位置を利用して、機器位置を算出できる。
【００７４】
ユーザー機器は、複数の無線機器の無線信号を受信し、位置座標空間の空間次元数Ｍにより、信号強度の大きいものから小さいものの順に、Ｎ個の無線機器の無線信号を選択して計算に用いることができる。ここで、Ｎ≧Ｍ＋１、具体的には、Ｎ＝Ｍ＋１であってもよい。ユーザー機器とＮ個の無線機器との間の距離、及びＮ個の無線機器の位置を利用すれば、ユーザー機器の機器位置を算出できる。
【００７５】
実現可能な実施形態として、ユーザー機器により受信された無線機器の無線信号の信号強度を用いて、以下の公式により、ユーザー機器と無線機器との間の距離を算出できる。
2018032368.tif 000003
【００７６】
ここで、Ｒは、信号強度であり、ｄは、ハンドヘルド機器と無線機器との間の距離であり、Ａは、距離が１メートルである時に受信機器により受信された送信機器により送信された無線信号の信号強度であり、ｎは、環境減衰係数である。
【００７７】
他の実現可能な実施形態として、ユーザー機器により受信された無線機器の無線信号の信号強度を用いて、以下の公式により、ユーザー機器と無線機器との間の距離を算出できる。
2018032368.tif 000004
【００７８】
ここで、Ｒは、信号強度であり、ｄは、ユーザー機器が無線機器から離れた距離であり、Ｃは、変換用比例係数であり、Ｒ０は、国際基準値を採用してもよいし、位置が既知の送信機器が異なるモデルの受信機器に無限に近づく時に受信した信号強度の平均値であってもよい。
【００７９】
ここで、Ｃは、初期デフォルト値であってもよい。勿論、正確な変換用比例係数を取得するために、ユーザー機器は、受信した無線信号に対応する無線機器から、Ｑ個の有効機器を選択してもよい。ここで、Ｑ≧Ｍ＋１、具体的には、Ｑ＝Ｍ＋１であってもよい。Ｑ個の有効機器を利用して、変換用比例係数の数値を調整し、前記変換用比例係数の補正値を検索する。前記補正値は、それぞれの有効機器の位置を中心として、それぞれの有効機器と前記目標機器との間の補正距離を半径として、生成されたＱ個の円または球が唯一の交点を有するようにする。その後、得られた前記変換係数の補正値を利用して、前記ユーザー機器と無線機器との間の距離を算出する。
ここで、上記実現可能な実施形態では、無線機器の位置は、事前に設定されてもよいし、算出されてもよい。
【００８０】
実現可能な実施形態では、無線機器は、第１種機器及び第２種機器を含んでもよい。ここで、第１種機器の位置は、既知であり、、第１種機器は、受信した無線信号をサーバーにアップロードでき、第２種機器は、受信した無線信号をサーバーにアップロードできる。信号を伝送しやすくするために、特定の場所の室内天井に第１制御機器を配置してもよい。具体的には、ＡＰ（Ｗｉｒｅｌｅｓｓ  Ａｃｃｅｓｓ  Ｐｏｉｎｔ、無線アクセスポイント）が挙げられ、第１種機器及び第２機器により受信された無線信号が、第１制御機器を通じてサーバーにアップロードされる。
【００８１】
無線機器の位置は、以下の方法で事前に確定して取得できる。
サーバーは、前記第１種機器及び／又は位置既定の第２種機器を既知機器として、前記既知機器の位置及び前記既知機器により受信されたいずれか１個の位置未定の第２種機器により送信された無線信号によって、前記いずれか１個の位置未定の第２種機器の位置を測位する。
物品シェルフには、第２種機器が配置されてもよい。
【００８２】
他の実現可能な実施形態では、特定の場所における室内天井に、位置が既知の第２制御機器が配置される。第２制御機器は、予め定められた並べ替えに従って室内天井に配置されてもよい。
前記第２制御機器は、前記第２制御機器により受信された前記無線機器により送信された無線信号を前記サーバーにアップロードできる。
その結果、無線機器の位置は、以下の方法で事前に確定して取得できる。
【００８３】
サーバーは、前記第２制御機器により受信された前記無線機器により送信された無線信号、及び前記第２制御機器の位置に基づいて、前記無線機器の位置を測位する。
ここで、サーバーに保存されているいずれかの商品の前記販売場所における商品位置は、以下の方法で事前に確定できる。
【００８４】
サーバーは、スキャン機器が前記商品シェルフにおけるそれぞれの商品及び／又は前記商品に対応するラベルに対してコードスキャンを行った時に受信した無線機器の無線信号、及び前記無線機器の位置に基づいて、前記スキャン機器が毎回コードスキャンした時のコードスキャン位置を測位する；
前記スキャン機器が毎回コードスキャンした時のコードスキャン位置を前記スキャン機器によりコードスキャンされた商品の商品位置とする。
ここで、前記商品シェルフにおけるそれぞれの商品が一個の無線機器に対応し、それぞれの商品が一個のラベルに対応してもよい。
【００８５】
サーバーは、スキャン機器が前記商品シェルフにおけるそれぞれの商品及び／又は前記商品に対応するラベルに対してコードスキャンを行った時に受信した無線機器の無線信号、及び前記無線機器の位置によって、前記スキャン機器が毎回コードスキャンした時のコードスキャン位置を測位する工程は、具体的には以下の工程であってもよい。
【００８６】
サーバーは、スキャン機器が前記商品シェルフにおけるそれぞれの商品及び／又は前記商品に対応するラベルに対してコードスキャンを行った時に受信した無線機器の無線信号に基づいて、前記スキャン機器に最も近い無線機器の位置を確定して、スキャンコード商品の商品位置とする。
ここで、最も近い無線機器は、信号強度の最も強い無線機器である。
【００８７】
勿論、無線信号及び位置によって測位計算を行ってもよい。無線信号及び位置によって測位計算を行う方式は、上記説明を参照することができるので、ここでは繰り返し説明しない。
【００８８】
商品シェルフにラベルが配置される場合、サーバーは、スキャン機器が前記商品シェルフにおけるそれぞれの商品に対してコードスキャンを行った時に受信した無線機器の無線信号、及び前記無線機器の位置に基づいて、前記スキャン機器が毎回コードスキャンを行った時のコードスキャン位置を測位し、信号強度の最も強い無線機器の位置をスキャンコード商品の商品位置として選択してもよい。
【００８９】
他の実現可能な実施形態では、前記商品シェルフにおけるそれぞれの商品を一個の無線機器に対応させ、それぞれの商品を一個のラベルに対応させてもよい。
サーバーに保存されているいずれかの商品の前記販売場所における商品位置は、以下の方法で事前に確定できる。
【００９０】
スキャン機器により送信された前記スキャン機器が前記商品シェルフにおけるそれぞれの商品及び前記商品に対応するラベルに対してコードスキャンを行って得た商品情報コード及びラベル情報コードを受信する。
【００９１】
前記商品情報コード及び前記ラベル情報コードに基づいて、異なるラベルと異なる無線機器との対応関係を探索し、コードスキャンされたそれぞれの商品のラベルに対応する無線機器の位置を前記商品の商品位置とする。
【００９２】
スキャン機器が前記商品シェルフにおけるそれぞれの商品及び前記商品に対応するラベルに対してコードスキャンを行うのは、商品とそのラベルをバインディングするためである。
【００９３】
ラベルがそれに対応する無線機器に集積されて、一体型機器となってもよい。その場合、ラベルと無線機器との対応関係は、無線機器によりサーバーに送信されたものであってもよい。
【００９４】
図５は、本願発明の一実施形態による取引データ処理装置の例を示す概略構成図である。当該装置は、実際の応用では、ユーザー機器中に配置されている。ユーザー機器は、ユーザーが使用する携帯電話、タブレット等のポータブルモバイルスマートデバイスであってもよい。
当該装置は、以下の構成を含んでもよい。
商品取得手段５０１は、サーバーから販売場所におけるいずれかの商品の商品情報を取得し、前記商品情報を出力する。
【００９５】
第１購入手段５０２は、第１購入リクエストを受信した時、前記商品情報に対応する商品を第１購入希望商品とし、前記第１購入希望商品の購入情報を確定する。前記購入情報は、少なくとも商品名称及び購入数量等を含んでもよいし、更に商品価格等情報を含んでもよい。
【００９６】
第１取引トリガー手段５０３は、前記第１購入希望商品の購入情報を前記サーバーに送信し、前記サーバーにより第１購入通知が生成される。前記第１購入通知は、出荷準備作業員に対して前記第１購入希望商品の購入情報に基づいて出荷準備するよう提示するために使われる。
【００９７】
本願発明の一実施形態では、専門的な出荷準備作業員にまとめて出荷準備をさせることにより、ユーザーが大量の商品を持ちながら移動する必要がなく、ショッピングの利便性を向上させ、ショッピングの効率を向上させることができる。
なお、他の例では、当該装置は、更に以下の構成を含んでもよい。
【００９８】
第１注文取得手段は、前記サーバーにより送信された第１取引注文情報を受信する。前記第１取引注文情報は、前記サーバーにより前記第１購入希望商品の購入情報によって生成されて、少なくとも前記第１購入希望商品の商品名称及び商品総価格等を含む。前記取引注文情報には、更に受取アドレス情報或いは送付アドレス情報等が含まれてもよい。
【００９９】
第１取引確認手段は、ユーザーからの確認リクエストを受信した時、前記サーバーに取引確認情報を送信する。これにより、前記サーバーは、前記取引確認情報を受信してから、第１購入通知を生成する。前記第１購入通知は、出荷準備作業員に対して前記第１購入希望商品の購入情報に基づいて出荷準備するよう提示するために使われる。
【０１００】
他の例では、ショッピングの利便性及びショッピングの効率を高めて、方ユーザーが清算しやすくするために、前記第１取引確認手段は、更に以下の構成を含んでもよい。
【０１０１】
第１決済手段は、ユーザーからの確認リクエストを受信した時、前記第１購入希望商品の商品総価格によってサードパーティシステムを呼び出し、オンライン決済を行う。
第１確認手段は、オンライン決済が成功した後、前記サーバーに取引確認情報を送信する。
【０１０２】
ユーザーが一回のショッピングで、複数の商品を購入することがあるため、他の例では、図６に示す装置を用いることができる。図６に示す装置は、図５に示す例と異なる以下の構成を含んでもよい。
【０１０３】
記入手段５０４は、記入リクエストを受信した時、前記商品情報に対応する商品を購入希望リストに記入する。
第２購入手段５０５は、第２購入リクエストを受信した時、前記購入希望リストにおける第２購入希望商品の購入情報を確定する。
【０１０４】
第２取引トリガー手段５０６は、前記第２購入希望商品の購入情報を前記サーバーに送信する。その後、前記サーバーが第２購入通知を生成する。前記第２購入通知は、出荷準備作業員に対して前記第２購入希望商品の購入情報に基づいて出荷準備するよう提示するために使われる。
なお、当該装置は、更に以下の構成を含んでもよい。
【０１０５】
リスト出力手段は、ユーザーからの出力リクエストを受信した時、前記購入希望リストを出力する。前記購入希望リストには、記入された各商品の購入情報が含まれている。
購入情報は、購入数量を含んでもよいし、購入価格を含んでもよい。
【０１０６】
他の例において、当該装置は、更に以下の構成を含んでもよい。
リスト更新手段は、ユーザーからの更新リクエストを受信した時に、前記購入希望リストにおいて更新がリクエストされた商品の購入情報を更新する。
更新は、購入数量の変更、或いは購入希望リストから前記商品の購入情報の削除等を含んでもよい。
【０１０７】
本願発明の一実施形態では、ユーザー機器が商品に対応する情報コードをスキャンするだけで商品の購入を実現できる。一個の商品を直接購入することもできるし、複数個の商品を購入希望リストに追加して、複数の商品をまとめて購入することもできる。ユーザーが大量の商品を持ちながら移動する必要がなく、ショッピングの利便性を向上させ、ショッピングの効率を向上させる。
他の例において、当該装置更に以下の構成を含んでもよい。
【０１０８】
第２注文取得手段は、前記サーバーにより送信された第２取引注文情報を受信する。前記第２取引注文情報は、前記サーバーが前記第２購入希望商品の購入情報によって生成され、少なくとも前記第２購入希望商品の商品総価格を含む。前記第２取引注文情報は、更に受取アドレス情報或いは送付アドレス情報等を含んでもよい。
【０１０９】
第２取引確認手段は、ユーザーから確認リクエストを受信した時、前記サーバーに取引確認情報を送信する。その後、前記サーバーは、前記取引確認情報を受信してから、第２購入通知を生成する。前記第２購入通知は、出荷準備作業員に対して前記第２購入希望商品の購入情報に基づいて、出荷準備するよう提示するために使われる。
【０１１０】
他の例では、更にショッピングの利便性及びショッピングの効率を高めて、ユーザーが清算しやすくするために、前記第２取引確認手段は、以下の構成を含んでもよい。
【０１１１】
第２決済手段は、ユーザーからの確認リクエストを受信した時、前記第２購入希望商品の商品総価格によってサードパーティシステムを呼び出し、オンライン決済を行う。
第２確認手段は、オンライン決済が成功した後、前記サーバーに取引確認情報を送信する。
【０１１２】
つまり、ユーザーがユーザー機器を通じてオンライン決済を行うことができる。そのため、レジ等で会計を待つ必要がなく、更に、ショッピングの利便性を向上させる。
実現可能な実施形態では、前記商品取得手段は、以下の構成を含んでもよい。
コードスキャン手段は、販売場所におけるいずれかの商品に対応する情報コードをスキャンし、スキャンで得たスキャンコード情報をサーバーに送信する。
【０１１３】
取得手段は、前記サーバーにより提供された、前記スキャンコード情報とマッチングする商品情報を受信し、前記商品情報を出力する。ここで、前記サーバーでは、事前に異なる商品の商品情報及びそのスキャンコード情報が対応して保存されている。
他の実現可能な実施形態では、前記商品取得手段は、以下のように使われる。
【０１１４】
サーバーにより提供された、前記ユーザー機器の機器位置に最も近い商品の商品情報を受信する。前記機器位置は、前記サーバーが前記ユーザー機器を測位することにより得たものである。前記サーバーには、いずれか商品の前記販売場所における商品位置が事前に保存されている。
【０１１５】
図７は、本願発明の一実施形態による取引データ処理装置の他の例を示す概略構成図である。当該装置は、実際の応用で、サーバーに配置される。当該装置は、以下の構成を含んでもよい。
商品提供手段７０１は、ユーザー機器に販売場所におけるいずれかの商品の商品情報を提供し、前記ユーザー機器により出力させる。
【０１１６】
第１取引生成手段７０２は、前記ユーザー機器により送信された第１購入希望商品の購入情報を受信した時、前記第１購入希望商品の購入情報に基づいて、第１購入通知を生成する。前記第１購入希望商品の購入情報は、前記ユーザー機器が第１購入リクエストを受信した時に前記商品情報に対応する商品を第１購入希望商品として前記第１購入希望商品の購入情報を確定した後に送信されたものである。前記第１購入通知は、出荷準備作業員に対して前記第１購入希望商品の購入情報に基づいて、出荷準備するよう提示するために使われる。
【０１１７】
前記機器は、更にスキャン機器が商品をスキャンして得たスキャンコード情報を受信し、前記商品の商品情報と前記スキャンコード情報とを対応させて保存する。
【０１１８】
ここで、サーバーは、前記第１購入希望商品の購入情報によって第１購入通知を生成した後、更にユーザー機器に受取アドレス情報を送信し、ユーザー機器により出力させる。その結果、ユーザーは、前記受取アドレス情報により、前記受取アドレスに対応する受取場所に行って、まとめて第１購入希望商品を受け取ることができる。ここで、当該受取アドレスは販売場所のレジであってもよい。これにより、ユーザーは、レジで清算した後、前記第１購入希望商品を直接取得できる。
【０１１９】
勿論、ユーザー機器は、更にユーザーアドレスリクエストにより、サーバーに送付アドレスを送信してもよい。当該送付アドレスは購入情報に付加されてもよい。その場合、第１購入通知は、出荷準備作業員に対して前記第１購入希望商品の購入情報に基づいて、出荷準備するよう通知し、前記送付アドレスに配達させるものである。
【０１２０】
他の例では、ユーザー機器は、ユーザーからの時間リクエストに基づいて、更にサーバーに受取時間または送付時間を送信することにより、受取予約または送付予約を実現できる。
他の例では、前記第１取引生成手段は、以下の構成を含んでもよい。
【０１２１】
第１注文生成手段は、前記第１購入希望商品の購入情報に基づいて第１取引注文情報を生成する。前記第１取引注文情報は、少なくとも第１購入希望商品の商品総価格を含む。勿論、前記取引注文情報は、更に受取アドレス情報或いは送付アドレス情報等を含んでもよい。
第１取引生成手段は、ユーザー機器からの取引確認情報を受信した後、第１購入通知を生成する。
【０１２２】
ここで、ユーザー機器により送信された取引確認情報は、ユーザー機器がユーザーからの確認リクエストを受信した時に、前記第１購入希望商品の商品総価格によってサードパーティシステムを呼び出して、オンライン決済を行って、オンライン決済が成功した後に前記サーバーに送信したものである。
他の例では、図８に示す装置が用いられる。図８の例では、図７に示す例と異なる以下の構成を含んでもよい。
【０１２３】
第２取引生成手段７０３は、ユーザー機器により送信された第２購入希望商品の購入情報を受信した時、第２購入通知を生成する。前記第２購入希望商品の購入情報は、前記ユーザー機器が第２購入リクエストを受信した時に購入希望リストにおける第２購入希望商品を確定した後に送信したものである。前記第２購入通知は、出荷準備作業員に対して前記第２購入希望商品の購入情報に基づいて、出荷準備するよう提示するために使われる。
他の例では、前記第２取引生成手段は、以下の構成を含んでもよい。
【０１２４】
第２注文生成手段は、前記第２購入希望商品の購入情報に基づいて、第２取引注文情報を生成する。前記第２取引注文情報は、少なくとも第２購入希望商品の商品総価格を含む。勿論、前記取引注文情報は、更に受取アドレス情報或いは送付アドレス情報等を含んでもよい。
第２取引生成手段は、ユーザー機器からの取引確認情報を受信した後、第２購入通知を生成する。
ここで、実現可能な実施形態では、前記商品提供手段は、以下の構成を含んでもよい。
【０１２５】
受信手段は、前記ユーザー機器により送信されたスキャンコード情報を受信する。前記スキャンコード情報は、前記ユーザー機器が販売場所におけるいずれかの商品に対応する情報コードをスキャンして得たものである。
【０１２６】
送信手段は、異なる商品の商品情報及びそのスキャンコード情報を探索し、前記スキャンコード情報とマッチングする商品情報を取得して前記ユーザー機器に送信する。
他の実現可能な実施形態では、前記商品提供手段は、以下の構成を含んでもよい。
測位手段は、前記ユーザー機器を測位し、前記ユーザー機器の機器位置を取得する。
【０１２７】
提供手段は、前記販売場所におけるいずれかの商品の商品位置を探索し、前記機器位置に最も近い商品を確定し、前記機器位置に最も近い商品の商品情報を前記ユーザー機器に提供する。
【０１２８】
ここで、販売場所におけるそれぞれの商品シェルフには、事前に無線機器が配置されている。前記ユーザー機器は、前記無線機器により送信された無線信号を受信及び／又は前記無線機器に無線信号を送信する。
前記測位手段は、以下のように使用されてもよい。
前記ユーザー機器により受信された前記無線機器の無線信号及び前記無線機器の位置に基づいて、前記ユーザー機器の機器位置を測位する。
ここで、無線機器の位置は、計算によって得られる。
【０１２９】
実現可能な実施形態では、無線機器は第１種機器及び第２種機器を含んでもよい。ここで、第１種機器の位置が既知であり、第１種機器は、受信した無線信号をサーバーにアップロードでき、第２種機器は、受信した無線信号をサーバーにアップロードできる。信号を伝送しやすくするために、特定の場所の室内天井に第１制御機器を配置してもよい。具体的には、ＡＰであり、第１種機器及び第２機器により受信された無線信号が、第１制御機器を通じてサーバーにアップロードされる。
当該装置は、更に以下の構成を含んでもよい。
【０１３０】
第１測位手段は、前記第１種機器及び／又は位置既定の第２種機器を既知機器として、前記既知機器の位置及び前記既知機器により受信されたいずれか１個の位置未定の第２種機器により送信された無線信号により、前記いずれか１個の位置未定の第２種機器の位置を測位する。
【０１３１】
他の実現可能な実施形態では、特定の場所における室内天井に、位置が既知の第２制御機器が配置される。第２制御機器は、予め定められた並べ替え順に従って室内天井に配置されてもよい。
前記第２制御機器は、前記第２制御機器により受信された前記無線機器により送信された無線信号を前記サーバーにアップロードすることができる。
当該装置は、更に以下の構成を含んでもよい。
前記第２制御機器により受信された前記無線機器により送信された無線信号、及び前記第２制御機器の位置に基づいて、前記無線機器の位置を測位する。
ここで、いずれかの商品の前記販売場所における商品位置は、複数の実施形態で確定できる。
実現可能な実施形態では、当該装置は、更に以下の構成を含んでもよい。
【０１３２】
第１商品測位手段は、スキャン機器が前記商品シェルフにおけるそれぞれの商品及び／又は前記商品に対応するラベルに対してコードスキャンを行った時に受信した無線機器の無線信号、及び前記無線機器の位置に基づいて、前記スキャン機器が毎回コードスキャンした時のコードスキャン位置を測位し、前記スキャン機器が毎回コードスキャンした時のコードスキャン位置を前記スキャン機器によりコードスキャンされた商品の商品位置とする。
ここで、前記商品シェルフにおけるそれぞれの商品を一個の無線機器に対応させ、それぞれの商品を一個のラベルに対応させてもよい。
【０１３３】
前記第１商品測位手段は、スキャン機器が前記商品シェルフにおけるそれぞれの商品及び／又は前記商品に対応するラベルに対してコードスキャンを行った時に受信した無線機器の無線信号に基づいて、前記スキャン機器に最も近い無線機器の位置を確定して、スキャンコード商品の商品位置とする。
ここで、最も近い無線機器は、信号強度の最も強い無線機器である。
【０１３４】
勿論、無線信号及び位置によって測位計算を行ってもよい。無線信号及び位置によって測位計算を行う方法は、上記説明を参照することができるので、ここでは繰り返し説明しない。
他の実現可能な実施形態では、前記商品シェルフにおけるそれぞれの商品を一個の無線機器に対応させ、それぞれの商品を一個のラベルに対応させてもよい。
当該装置は、更に以下の構成を含んでもよい。
【０１３５】
第２商品測位手段は、スキャン機器により送信された、前記スキャン機器が前記商品シェルフにおけるそれぞれの商品及び前記商品に対応するラベルに対してコードスキャンを行って得た商品情報コード及びラベル情報コードを受信し、前記商品情報コード及び前記ラベル情報コードに基づいて、異なるラベルと異なる無線機器との対応関係を探索し、それぞれのコードスキャンされた商品のラベルに対応する無線機器の位置を前記商品の商品位置とする。
【０１３６】
本願発明の一実施形態では、更に、ユーザー機器及びサーバーを含む取引データ処理システムを提供する。ユーザー機器には図５或いは図６に示す取引データ処理装置が配置され、サーバーには図７或いは図８に示す取引データ処理装置が配置される。
本願発明の一実施形態では更にユーザー機器を提供する。当該ユーザー機器は、メモリ及びプロセッサを含んでもよい。
【０１３７】
前記メモリには、１組または複数組のプログラム命令が格納される。
前記プロセッサは、前記メモリにおける前記１組又は複数組のプログラム命令を呼び出して実行し、下記作業を実行する。
サーバーから販売場所におけるいずれかの商品の商品情報を取得し、前記商品情報を出力する。
【０１３８】
第１購入リクエストを受信した時、前記商品情報に対応する商品を第１購入希望商品とし、前記第１購入希望商品の購入情報を確定する。ここで、前記購入情報は、少なくとも商品名称及び購入数量を含む。
【０１３９】
前記第１購入希望商品の購入情報を前記サーバーに送信し、前記サーバーが第１購入通知を生成する。前記第１購入通知は、出荷準備作業員に対して前記第１購入希望商品の購入情報に基づいて出荷準備するよう提示するために使われる。
本願発明の一実施形態では更にサーバーを提供する。当該サーバーはメモリ及びプロセッサを含んでもよい。
【０１４０】
前記メモリには、１組または複数組のプログラム命令が格納される。
前記プロセッサは、前記メモリにおける前記１組又は複数組のプログラム命令を呼び出して実行し、下記作業を実現する。
ユーザー機器に販売場所におけるいずれかの商品の商品情報を提供し、前記ユーザー機器により出力させる。
【０１４１】
前記ユーザー機器により送信された第１購入希望商品の購入情報を受信した時、前記第１購入希望商品の購入情報により、第１購入通知を生成する。前記第１購入希望商品の購入情報は、前記ユーザー機器が第１購入リクエストを受信した時に前記商品情報に対応する商品を第１購入希望商品として前記第１購入希望商品の購入情報を確定した後に送信したものである。前記第１購入通知は、出荷準備作業員に対して前記第１購入希望商品の購入情報に基づいて、出荷準備するよう提示するために使われる。
【０１４２】
本願発明の一実施形態では、ユーザーが販売場所でショッピングをする時、サーバーは、ユーザー機器に商品情報を提供できる。ユーザーは、ユーザー機器を通じて購入した商品を購入希望商品として購入情報をサーバーに提出する。これにより、サーバーは、購入情報に基づいて出荷準備でき、大量の商品を持って移動する必要がなく、ショッピングの利便性を向上させ、ショッピングの効率を向上させることができる。そして、更に、ユーザーは、ユーザー機器を通じて購入希望情報に対してオンライン決済を行うことにより、レジ等で会計を待つ時間を節約できるので、更に、ショッピングの利便性及びショッピングの効率を向上させることができる。
【０１４３】
本願発明の一実施形態による方法の上記機能をコンピュータ可読の記憶媒体内に格納することにより、ソフトウェアの形式で実現され、独立な製品として販売または使用される。このように、本願発明の効果は、ソフトウェア製品の形式で実現することもできる当該ソフトウェア製品は、記憶媒体内に格納されており、コンピューティングデバイス（パソコン、サーバー、モバイルコンピューティングデバイスまたはネットワーク機器等でもよい）に本発明の各実施例に係る方法の全部または一部のステップを実行させるいくつの命令を含むことができる。ここで記憶媒体は、ＵＳＢメモリ、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク或いはＣＤ−ＲＯＭ等のプログラムコードを格納できる多種多様な媒体を含む。
【０１４４】
上記の説明では、本願発明のいくつかの好ましい実施形態を提供及び記述しているが、上記のように、本願発明は本稿で開示した形式に限らないこと理解すべきである。他の実施形態を排除するわけではなく、他の多種多様な組み合わせ、変更及び環境にも適用できる。本稿に記載された発想の範囲内であれば、上記した教示または関連分野の技術、知識によって変更することもできる。当業者による変更と修正は、本出願の趣旨と範囲を逸脱しない限り、本願に添付した特許請求の範囲内に属する。
【図１】
2018032368.tif 000005
【図２ａ】
2018032368.tif 000006
【図２ｂ】
2018032368.tif 000007
【図２ｃ】
2018032368.tif 000008
【図３】
2018032368.tif 000009
【図４】
2018032368.tif 000010
【図５】
2018032368.tif 000011
【図６】
2018032368.tif 000012
【図７】
2018032368.tif 000013
【図８】
2018032368.tif 000014
【手続補正書】
【提出日】平成30年1月13日(2018.1.13)
【手続補正１】
【補正対象書類名】特許請求の範囲
【補正対象項目名】全文
【補正方法】変更
【補正の内容】
【特許請求の範囲】
【請求項１】
ユーザー機器が、サーバーから販売場所におけるいずれかの商品の商品情報を取得し、前記商品情報を出力する工程と、
第１購入リクエストを受信した時、前記商品情報に対応する商品を第１購入希望商品とし、前記第１購入希望商品の購入情報を確定する工程であって、前記購入情報は少なくとも商品名称及び購入数量を含む、工程と、
前記サーバーが第１購入通知を生成するように、前記第１購入希望商品の購入情報を前記サーバーに送信する工程であって、前記第１購入通知は、出荷準備作業員に対して前記第１購入希望商品の購入情報に基づいて、出荷準備するよう提示するために使われる、工程と、
を含み、
さらに、前記ユーザー機器が、サーバーから販売場所におけるいずれかの商品の商品情報を取得する工程は、
ユーザー機器が、サーバーにより提供された、前記ユーザー機器の機器位置に最も近い商品の商品情報を受信する工程であって、前記機器位置は、前記サーバーが前記ユーザー機器を測位して得たものであり、前記サーバーには、事前にいずれかの商品の前記販売場所における商品位置が保存されている、工程と、
を含む取引データ処理方法。
【請求項２】
前記ユーザー機器が、サーバーから販売場所におけるいずれかの商品の商品情報取得し、前記商品情報を出力する工程は、
ユーザー機器が、販売場所におけるいずれかの商品に対応する情報コードをスキャンし、スキャンにより得たスキャンコード情報をサーバーに送信する工程と、
前記サーバーにより提供された、前記スキャンコード情報とマッチングする商品情報を受信し、前記商品情報を出力する工程であって、前記サーバーには、事前に異なる商品の商品情報とそのスキャンコード情報とを対応させて保存されている、工程と、
を含む請求項１に記載の取引データ処理方法。
【請求項３】
前記ユーザー機器が、サーバーから販売場所におけるいずれかの商品の商品情報を取得し、前記商品情報を出力した後、更に、
記入リクエストを受信した時、前記商品情報に対応する商品を購入希望リストに記入する工程と、
第２購入リクエストを受信した時、前記購入希望リストにおける第２購入希望商品の購入情報を確定する工程と、
前記サーバーが、第２購入通知を生成するように、前記第２購入希望商品の購入情報を前記サーバーに送信する工程であって、前記第２購入通知は、出荷準備作業員に対して前記第２購入希望商品の購入情報に基づいて、出荷準備するよう提示するために使われる、工程と
を含む請求項１に記載の取引データ処理方法。
【請求項４】
前記第１購入希望商品の購入情報を前記サーバーに送信した後、更に、
前記サーバーにより送信された第１取引注文情報を受信する工程であって、前記第１取引注文情報は、前記サーバーが前記第１購入希望商品の購入情報によって生成されたものであり、少なくとも前記第１購入希望商品の商品名称及び商品総価格を含む、工程と、
ユーザーから確認リクエストを受信した時、前記サーバーに取引確認情報を送信し、前記サーバーが前記取引確認情報を受信してから第１購入通知を生成する工程であって、前記第１購入通知は、出荷準備作業員に対して前記第１購入希望商品の購入情報に基づいて、出荷準備するよう提示するために使われる、工程と、
を含む請求項１に記載の取引データ処理方法。
【請求項５】
前記ユーザーからの確認リクエストを受信した時、前記サーバーに取引確認情報を送信する工程は、
ユーザーから確認リクエストを受信した時、前記第１購入希望商品の商品総価格によってサードパーティシステムを呼び出し、オンライン決済を行う工程と、
オンライン決済が成功した後、前記サーバーに取引確認情報を送信する工程と、
を含む請求項４に記載の取引データ処理方法。
【請求項６】
記入リクエストを受信した時、前記商品情報に対応する商品を購入希望リストに記入した後、更に、
ユーザーから出力リクエストを受信した時、前記購入希望リストを出力する工程であって、前記購入希望リストは記入された各商品の購入情報を含む、工程と、
ユーザーから更新リクエストを受信した時に、前記購入希望リストにおいて更新がリクエストされた商品の購入情報を更新する工程と、
を含む請求項３に記載の取引データ処理方法。
【請求項７】
前記販売場所では、商品が商品シェルフに配置され、それぞれの商品シェルフにおけるそれぞれの商品が一つのラベル対応し、前記ラベルが前記商品シェルフに配置されて、それに対応する商品の商品関連情報を表わし、
前記ユーザー機器が、販売場所におけるいずれかの商品に対応する情報コードをスキャンし、スキャンで得たスキャンコード情報をサーバーに送信する工程は、
ユーザー機器が、商品シェルフにおけるいずれかの商品のラベルのラベル情報コード或いは前記いずれかの商品の商品情報コードをスキャンし、スキャンで得たスキャンコード情報をサーバーに送信する工程であって、それぞれのラベルは、対応する商品とのバインディング関係が事前に構築されている、工程、
を含む請求項２に記載の取引データ処理方法。
【請求項８】
サーバーが、ユーザー機器に販売場所におけるいずれかの商品の商品情報を提供し、前記ユーザー機器により出力される工程と、
前記ユーザー機器により送信された第１購入希望商品の購入情報を受信した時、前記第１購入希望商品の購入情報に基づいて、第１購入通知を生成する工程であって、前記第１購入希望商品の購入情報は、前記ユーザー機器が第１購入リクエストを受信した時に、前記商品情報に対応する商品を第１購入希望商品として、前記第１購入希望商品の購入情報を確定した後に送信されたものであり、前記第１購入通知は、出荷準備作業員に対して前記第１購入希望商品の購入情報に基づいて出荷準備するよう提示するために使われる、工程と、を含み、
さらに、前記サーバーが、ユーザー機器に販売場所におけるいずれかの商品の商品情報を提供する工程は、
前記ユーザー機器を測位して前記ユーザー機器の機器位置を取得する工程と、
前記販売場所におけるいずれかの商品の商品位置を探索し、前記機器位置に最も近い商品を確定し、前記機器位置に最も近い商品の商品情報を前記ユーザー機器に提供する工程と、  を含む取引データ処理方法。
【請求項９】
前記サーバーが、ユーザー機器に販売場所におけるいずれかの商品の商品情報を提供する工程は、
前記ユーザー機器により送信されたスキャンコード情報を受信する工程であって、前記スキャンコード情報は、前記ユーザー機器が販売場所におけるいずれかの商品に対応する情報コードをスキャンして得たものである、工程と、
異なる商品の商品情報及びそのスキャンコード情報を探索し、前記スキャンコード情報とマッチングする商品情報を取得し、前記ユーザー機器に送信する工程と、
を含む請求項８に記載の取引データ処理方法。
【請求項１０】
販売場所におけるそれぞれの商品シェルフに無線機器が事前に配置されており、前記ユーザー機器は、前記無線機器により送信された無線信号を受信及び／又は前記無線機器に無線信号を送信し、
前記ユーザー機器を測位して前記ユーザー機器の機器位置を取得する工程は、
前記ユーザー機器により受信された前記無線機器の無線信号及び前記無線機器の位置に基づいて、前記ユーザー機器の機器位置を測位する工程、
を含む請求項９に記載の取引データ処理方法。
【請求項１１】
前記ユーザー機器に商品シェルフにおけるいずれかの商品の商品情報を提供し、前記ユーザー機器により出力された後、更に、
前記ユーザー機器により送信された第２購入希望商品の購入情報を受信した時、第２購入通知を生成する工程であって、前記第２購入希望商品の購入情報は、前記ユーザー機器が第２購入リクエストを受信した時に、購入希望リストにおける第２購入希望商品を確定した後に送信されたものであり、前記第２購入通知は、出荷準備作業員に対して前記第２購入希望商品の購入情報に基づいて出荷準備するよう提示するために使われる、工程、
を含む請求項８に記載の取引データ処理方法。
【請求項１２】
前記商品シェルフにおけるいずれかの商品の商品位置は、以下の（１）〜（２）の工程で事前に確定される請求項１０に記載の取引データ処理方法。
（１）スキャン機器が前記商品シェルフにおけるそれぞれの商品及び／又は前記商品に対応するラベルに対してコードスキャンを行った時に受信した無線機器の無線信号、及び前記無線機器の位置に基づいて、前記スキャン機器が毎回コードスキャンを行った時のコードスキャン位置を測位する工程。
（２）前記スキャン機器が毎回コードスキャンを行った時のコードスキャン位置を、前記スキャン機器によりコードスキャンされた商品の商品位置とする工程。
【請求項１３】
前記商品シェルフにおけるそれぞれの商品が一個の無線機器及び一個のラベルに対応し、
前記スキャン機器が前記商品シェルフにおけるそれぞれの商品及び／又は前記商品に対応するラベルに対してコードスキャンを行った時に受信した無線機器の無線信号、及び前記無線機器の位置に基づいて、前記スキャン機器が毎回コードスキャンを行った時のコードスキャン位置を測位する工程は、
スキャン機器が前記商品シェルフにおけるそれぞれの商品及び／又は前記商品に対応するラベルに対してコードスキャンを行った時に受信した無線機器の無線信号に基づいて、前記スキャン機器に最も近い無線機器を確定する工程と、
前記最も近い無線機器を測位して、前記スキャン機器がコードスキャンを行った時のコードスキャン位置とする工程と、
を含む請求項１２に記載の取引データ処理方法。
【請求項１４】
前記商品シェルフにおけるそれぞれの商品が一個の無線機器及び一個のラベルに対応し、
前記商品シェルフにおけるいずれかの商品の商品位置は、以下の（１）〜（２）の工程で事前に確定される請求項１０に記載の取引データ処理方法。
（１）スキャン機器により送信された、前記スキャン機器が前記商品シェルフにおけるそれぞれの商品及び前記商品に対応するラベルに対してコードスキャンを行って得た商品情報コード及びラベル情報コードを受信する工程。
（２）前記商品情報コード及び前記ラベル情報コードに基づいて、それぞれのコードスキャンされた商品のラベルに対応する無線機器の位置を前記商品の商品位置とする工程。
【請求項１５】
サーバーから販売場所におけるいずれかの商品の商品情報を取得し、前記商品情報を出力する商品取得手段であって、サーバーにより提供された、ユーザー機器の機器位置に最も近い商品の商品情報を受信するために使われ、前記機器位置は、前記サーバーが前記ユーザー機器に対して測位して得たものであり、前記サーバーには、いずれかの商品の前記販売場所における商品位置が事前に保存されている、商品取得手段と、
第１購入リクエストを受信した時、前記商品情報に対応する商品を第１購入希望商品とし、前記第１購入希望商品の購入情報を確定する第１購入手段であって、前記購入情報は、少なくとも商品名称及び購入数量を含む、第１購入手段と、
前記サーバーが第１購入通知を生成するように、前記第１購入希望商品の購入情報を前記サーバーに送信する第１取引トリガー手段であって、前記第１購入通知は、出荷準備作業員に対して前記第１購入希望商品の購入情報に基づいて、出荷準備するよう提示するために使われる、第１取引トリガー手段と、
を含む取引データ処理装置。
【請求項１６】
前記商品取得手段は、
販売場所におけるいずれかの商品に対応する情報コードをスキャンし、スキャンで得たスキャンコード情報をサーバーに送信するコードスキャン手段と、
前記サーバーにより提供された、前記スキャンコード情報とマッチングする商品情報を受信し、前記商品情報を出力する取得手段であって、前記サーバーには、事前に異なる商品の商品情報とそのスキャンコード情報とを対応させて保存されている、取得手段と、
を含む請求項１５に記載の取引データ処理装置。
【請求項１７】
記入リクエストを受信した時、前記商品情報に対応する商品を購入希望リストに記入する記入手段と、
第２購入リクエストを受信した時、前記購入希望リストにおける第２購入希望商品の購入情報を確定する第２購入手段と、
前記サーバーが第２購入通知を生成するように、前記第２購入希望商品の購入情報を前記サーバーに送信する第２取引トリガー手段であって、前記第２購入通知は、出荷準備作業員に対して前記第２購入希望商品の購入情報に基づいて出荷準備するよう提示するために使われる、第２取引トリガー手段と、
を更に含む請求項１６に記載の取引データ処理装置。
【請求項１８】
前記サーバーにより送信された第１取引注文情報を受信する第１注文取得手段であって、前記第１取引注文情報は、前記サーバーが前記第１購入希望商品の購入情報によって生成されたものであり、少なくとも前記第１購入希望商品の商品名称及び商品総価格を含む、第１注文取得手段と、
ユーザーからの確認リクエストを受信した時、前記サーバーに取引確認情報を送信し、前記サーバーが前記取引確認情報を受信してから第１購入通知を生成する第１取引確認手段であって、前記第１購入通知は、出荷準備作業員に対して前記第１購入希望商品の購入情報に基づいて、出荷準備するよう提示するために使われる、第１取引確認手段と、
を更に含む請求項１５に記載の取引データ処理装置。
【請求項１９】
ユーザー機器に販売場所におけるいずれかの商品の商品情報を提供し、前記ユーザー機器により出力させる商品提供手段であって、前記ユーザー機器を測位し、前記ユーザー機器の機器位置を取得する測位手段と、前記機器位置に最も近い商品を確定し、前記機器位置に最も近い商品の商品情報を前記ユーザー機器に提供する提供手段と、を含む商品提供手段と、
前記ユーザー機器により送信された第１購入希望商品の購入情報を受信した時、前記第１購入希望商品の購入情報によって第１購入通知を生成する第１取引生成手段であって、前記第１購入希望商品の購入情報は、前記ユーザー機器が第１購入リクエストを受信した時に、前記商品情報に対応する商品を第１購入希望商品として、前記第１購入希望商品の購入情報を確定し後に送信されたものであり、前記第１購入通知は、出荷準備作業員に対して前記第１購入希望商品の購入情報に基づいて、出荷準備するよう提示するために使われる第１取引生成手段と、
を含む取引データ処理装置。
【請求項２０】
前記商品提供手段は、
前記ユーザー機器により送信されたスキャンコード情報を受信する受信手段であって、前記スキャンコード情報は、前記ユーザー機器が販売場所におけるいずれかの商品に対応する情報コードをスキャンして得たものである、受信手段と、
異なる商品の商品情報及びそのスキャンコード情報を探索し、前記スキャンコード情報とマッチングする商品情報を取得し、前記ユーザー機器に送信する送信手段と、
を更に含む請求項１９に記載の取引データ処理装置。
【請求項２１】
前記ユーザー機器により送信された第２購入希望商品の購入情報を受信した時、第２購入通知を生成する第２取引トリガー手段であって、前記第２購入希望商品の購入情報は、前記ユーザー機器が第２購入リクエストを受信した時に、購入希望リストにおける第２購入希望商品を確定した後に送信したものであり、前記第２購入通知は、出荷準備作業員に対して前記第２購入希望商品の購入情報に基づいて、出荷準備するよう提示するために使われる、第２取引トリガー手段、
を更に含む請求項１９に記載の取引データ処理装置。